(57)【要約】【課題】開放感のある浴室を住宅に容易に設置する。【解決手段】住宅１０は、複数の建物ユニット１２が上下方向において結合されて構成されて、複数階建てにされており、住宅１０にユニットバス２２が設置されて、住宅１０に浴室２６が設置されている。このため、浴室２６を住宅１０に容易に設置できる。さらに、ユニットバス２２の高さが建物ユニット１２の高さに比し高くされており、下階の建物ユニット１２と上階の建物ユニット１２とに連通される吹き抜け空間１８に、ユニットバス２２が設置されている。このため、下階の建物ユニット１２と上階の建物ユニット１２とに亘ってユニットバス２２を設置でき、開放感のある浴室２６にできる。【選択図】図１
2008303692.tif 000002
【特許請求の範囲】
【請求項１】
建物を構成する複数の建物ユニットと、
前記建物ユニットに設置され、高さを前記建物ユニットの高さに比し高くされたユニットバスと、
を備えた浴室設置構造。
【請求項２】
前記ユニットバスを建物高さ方向において複数の分割バスに分割したことを特徴とする請求項１記載の浴室設置構造。
【請求項３】
前記分割バスの高さを前記建物ユニットの高さに対し等しく又は低くしたことを特徴とする請求項２記載の浴室設置構造。
【請求項４】
建物高さ方向において結合された複数の前記建物ユニットに連通される吹き抜け空間に前記ユニットバスを設置したことを特徴とする請求項１〜請求項３の何れか１項記載の浴室設置構造。
【請求項５】
建物高さ方向において結合される前の複数の前記建物ユニットのそれぞれに前記分割バスを設置したことを特徴とする請求項２〜請求項４の何れか１項記載の浴室設置構造。
【請求項６】
建物高さ方向において結合された複数の前記建物ユニットのそれぞれに設置された複数の前記分割バスの少なくとも１つを建物高さ方向へ移動させて複数の前記分割バスを結合したことを特徴とする請求項５記載の浴室設置構造。
【請求項７】
建物高さ方向において結合された複数の前記建物ユニットのそれぞれに設置された複数の前記分割バス間の建物高さ方向における間隙部を閉鎖する閉鎖部材を備えたことを特徴とする請求項５又は請求項６記載の浴室設置構造。
【請求項８】
前記建物内の前記ユニットバス上側に上側空間を形成したことを特徴とする請求項１〜請求項７の何れか１項記載の浴室設置構造。
【請求項９】
前記建物内の前記ユニットバス下側に下側空間を形成したことを特徴とする請求項１〜請求項８の何れか１項記載の浴室設置構造。
【発明の詳細な説明】
【技術分野】
【０００１】
本発明は、建物に浴室を設置する浴室設置構造に関する。
【背景技術】
【０００２】
浴室設置構造としては、住宅の下階部分と上階部分とに連通された吹き抜け空間に浴室が設置されて、浴室が開放感のあるものにされたものがある（例えば、特許文献１参照）。
【０００３】
しかしながら、この浴室設置構造では、浴室の外周が複数のパネルによって構成されている。このため、現地作業が多くなるため、住宅への浴室の設置が煩雑である。
【特許文献１】特開平５−３４０１１２号公報
【発明の開示】
【発明が解決しようとする課題】
【０００４】
本発明は、上記事実を考慮し、開放感のある浴室を建物に容易に設置できる浴室設置構造を得ることが目的である。
【課題を解決するための手段】
【０００５】
請求項１に記載の浴室設置構造は、建物を構成する複数の建物ユニットと、前記建物ユニットに設置され、高さを前記建物ユニットの高さに比し高くされたユニットバスと、を備えている。
【０００６】
請求項２に記載の浴室設置構造は、請求項１に記載の浴室設置構造において、前記ユニットバスを建物高さ方向において複数の分割バスに分割したことを特徴としている。
【０００７】
請求項３に記載の浴室設置構造は、請求項２に記載の浴室設置構造において、前記分割バスの高さを前記建物ユニットの高さに対し等しく又は低くしたことを特徴としている。
【０００８】
請求項４に記載の浴室設置構造は、請求項１〜請求項３の何れか１項に記載の浴室設置構造において、建物高さ方向において結合された複数の前記建物ユニットに連通される吹き抜け空間に前記ユニットバスを設置したことを特徴としている。
【０００９】
請求項５に記載の浴室設置構造は、請求項２〜請求項４の何れか１項に記載の浴室設置構造において、建物高さ方向において結合される前の複数の前記建物ユニットのそれぞれに前記分割バスを設置したことを特徴としている。
【００１０】
請求項６に記載の浴室設置構造は、請求項５に記載の浴室設置構造において、建物高さ方向において結合された複数の前記建物ユニットのそれぞれに設置された複数の前記分割バスの少なくとも１つを建物高さ方向へ移動させて複数の前記分割バスを結合したことを特徴としている。
【００１１】
請求項７に記載の浴室設置構造は、請求項５又は請求項６に記載の浴室設置構造において、建物高さ方向において結合された複数の前記建物ユニットのそれぞれに設置された複数の前記分割バス間の建物高さ方向における間隙部を閉鎖する閉鎖部材を備えたことを特徴としている。
【００１２】
請求項８に記載の浴室設置構造は、請求項１〜請求項７の何れか１項に記載の浴室設置構造において、前記建物内の前記ユニットバス上側に上側空間を形成したことを特徴としている。
【００１３】
請求項９に記載の浴室設置構造は、請求項１〜請求項８の何れか１項に記載の浴室設置構造において、前記建物内の前記ユニットバス下側に下側空間を形成したことを特徴としている。
【発明の効果】
【００１４】
請求項１に記載の浴室設置構造では、建物を構成する複数の建物ユニットにユニットバスが設置されて、建物に浴室が設置されている。また、ユニットバスの高さが建物ユニットの高さに比し高くされているため、開放感のある浴室にすることができる。
【００１５】
ここで、上述の如く、建物ユニットにユニットバスが設置されて、建物に浴室が設置されるため、開放感のある浴室を建物に容易に設置することができる。
【００１６】
請求項２に記載の浴室設置構造では、ユニットバスが建物高さ方向において複数の分割バスに分割されている。このため、ユニットバスを容易に搬送することができる。
【００１７】
請求項３に記載の浴室設置構造では、分割バスの高さが建物ユニットの高さに対し等しく又は低くされている。このため、建物ユニットに分割バスを容易に設置することができる。
【００１８】
請求項４に記載の浴室設置構造では、建物高さ方向において結合された複数の建物ユニットに連通される吹き抜け空間に、ユニットバスが設置されている。このため、建物高さ方向において結合された複数の建物ユニットに亘ってユニットバスを設置することができる。
【００１９】
請求項５に記載の浴室設置構造では、建物高さ方向において結合される前の複数の建物ユニットのそれぞれに、分割バスが設置されている。このため、建物ユニットと共にユニットバスを容易に搬送することができる。
【００２０】
請求項６に記載の浴室設置構造では、建物高さ方向において結合された複数の建物ユニットのそれぞれに設置された複数の分割バスの少なくとも１つが建物高さ方向へ移動されて、複数の分割バスが結合されている。このため、複数の分割バスを容易に結合することができる。
【００２１】
請求項７に記載の浴室設置構造では、建物高さ方向において結合された複数の建物ユニットのそれぞれに設置された複数の分割バス間の建物高さ方向における間隙部を、閉鎖部材が閉鎖する。このため、複数の分割バス間の建物高さ方向における間隙部を容易に閉鎖することができる。
【００２２】
請求項８に記載の浴室設置構造では、建物内のユニットバス上側に、上側空間が形成されている。このため、ユニットバスの上側を有効に利用することができる。
【００２３】
請求項９に記載の浴室設置構造では、建物内のユニットバス下側に、下側空間が形成されている。このため、ユニットバスの下側を有効に利用することができる。
【発明を実施するための最良の形態】
【００２４】
［第１の実施の形態］
図１には、本発明の浴室設置構造が適用されて構成された第１の実施の形態に係る建物としての住宅１０（戸建て住宅）の主要部が側方から見た断面図にて示されている。なお、図面では、住宅１０の上方（建物高さ方向上側）を矢印ＵＰで示す。
【００２５】
本実施の形態に係る住宅１０は、工場で製作された複数の建物ユニット１２が、施工現場で据え付けられると共に互いに結合されたユニット建物として構成されている。住宅１０では、複数の建物ユニット１２が上下及び左右方向へ結合されており、住宅１０は、複数階建て（例えば２階建て）にされている。
【００２６】
建物ユニット１２には、複数の柱、天井大梁及び床大梁を用いて直方体形枠状に組まれた建物フレーム１４が設けられており、建物フレーム１４には、床板、外壁・内壁板及び天井板（図示省略）が取り付けられている。
【００２７】
下階（例えば１階）の建物ユニット１２においては、内部にスキップフロア１６が水平に設けられており、スキップフロア１６は、建物フレーム１４の下端部より上側に配置されている。下階の建物ユニット１２においては、天井板及びスキップフロア１６が部分的に矩形状に開口されており、天井板の開口部分とスキップフロア１６の開口部分とは、上下方向において対向している。
【００２８】
上階（例えば２階）の建物ユニット１２においては、床板が部分的に矩形状に開口されており、床板の開口部分は、下階の建物ユニット１２の天井板及びスキップフロア１６の開口部分と、上下方向において対向している。これにより、住宅１０には、下階の建物ユニット１２の天井板及びスキップフロア１６の開口部分と、上階の建物ユニット１２の床板の開口部分と、を連通する吹き抜け空間１８が形成されている。
【００２９】
上階の建物ユニット１２においては、仮固定手段としての長尺棒状の吊り棒２０が所定数水平に固定されており、吊り棒２０は、吹き抜け空間１８の上部に配置されている。
【００３０】
住宅１０の吹き抜け空間１８内には、略直方体状のユニットバス２２（浴室ユニット）が設置されており、ユニットバス２２の高さは、建物ユニット１２の高さに比し、高くされている。ユニットバス２２には、略直方体形容器状の外周パネル２４（内壁パネル）が設けられており、外周パネル２４は、浴室２６の外周壁を構成している。
【００３１】
ユニットバス２２は、上下方向において、一対（複数）の分割バス２８に分割されており、下側の分割バス２８における外周パネル２４の上面は上側へ開放されると共に、上側の分割バス２８における外周パネル２４の下面は下側へ開放されている。分割バス２８の高さは建物ユニット１２の高さに比し低くされており（建物ユニット１２の高さと等しくされてもよい）、下側の分割バス２８及び上側の分割バス２８は、それぞれ、工場で、製作されて、下階の建物ユニット１２及び上階の建物ユニット１２に設置されている。下側の分割バス２８は、下階の建物ユニット１２のスキップフロア１６に固定されて下階の建物ユニット１２に固定されており、下側の分割バス２８の下側には、下側空間３０が形成されている。上側の分割バス２８は、上階の建物ユニット１２の吊り棒２０に吊られて上階の建物ユニット１２に仮固定されており、上側の分割バス２８の上側には、上側空間３２（スキップ空間）が形成されている。
【００３２】
図２（Ａ）に示す如く、分割バス２８の外周部分（外周パネル２４の外側）には、直方体形枠状のバスフレーム３４が設けられており、バスフレーム３４は、下側の分割バス２８及び上側の分割バス２８のそれぞれにおける外周パネル２４の各辺部に固定されている。下側の分割バス２８におけるバスフレーム３４の上端全周、及び、上側の分割バス２８におけるバスフレーム３４の下端全周には、結合部材としての矩形枠状かつ断面Ｌ字形板状のジョイントブラケット３６の基端側部分が固定されており、ジョイントブラケット３６の先端側部分はバスフレーム３４から外側（反外周パネル２４側）へ突出されている。ジョイントブラケット３６の全周には、防水部材としての矩形枠状の防水シート３８が固定されており、防水シート３８は、断面Ｌ字形シート状にされて、下側のジョイントブラケット３６の上面及び外周パネル２４側の面に配置されると共に、上側のジョイントブラケット３６の下面及び外周パネル２４側の面に配置されている。また、防水シート３８は、防水性及び弾性を有している。
【００３３】
ここで、上階の建物ユニット１２の吊り棒２０への上側の分割バス２８の吊り状態が解除されて上側の分割バス２８が下側へ移動（スライド）されることで、下側の分割バス２８に上側の分割バス２８が接近されて、下側のジョイントブラケット３６に上側のジョイントブラケット３６が接近されている。なお、吊り棒２０は、上階の建物ユニット１２から取り外し可能にされている。
【００３４】
図２（Ｂ）に示す如く、下側のジョイントブラケット３６と上側のジョイントブラケット３６とは、それぞれの先端側部分において、ボルト４０及びナット４２の締結によって結合されており、これにより、下側の分割バス２８のバスフレーム３４と上側の分割バス２８のバスフレーム３４とが結合されて、下側の分割バス２８と上側の分割バス２８とが結合されている。下側のジョイントブラケット３６と上側のジョイントブラケット３６とが結合された際には、下側のジョイントブラケット３６と上側のジョイントブラケット３６とのそれぞれの先端部分間の全周において、一対の防水シート３８が挟持されて圧着されることで、下側のジョイントブラケット３６と上側のジョイントブラケット３６との間が全周において防水（２次防水）されている。
【００３５】
下側の分割バス２８における外周パネル２４の上端と上側の分割バス２８における外周パネル２４の下端との間の間隙部には、全周において、閉鎖部材（継ぎ部材、帯状部材）を構成する第１部材としてのコーキング４４及び閉鎖部材を構成する第２部材としてのバックアップ材４６が設けられており、コーキング４４の反浴室２６側に、バックアップ材４６が配置されている。コーキング４４は、防水性及び接着性を有しており、コーキング４４は、下側の分割バス２８における外周パネル２４の上端と上側の分割バス２８における外周パネル２４の下端とに全周において接着された状態で、両者間を全周において閉鎖（閉塞）することで、両者間が全周において防水（１次防水）されている。バックアップ材４６は、接着性を有しており、バックアップ材４６は、下側の分割バス２８における外周パネル２４の上端と上側の分割バス２８における外周パネル２４の下端とに全周において接着された状態で、両者間を全周において閉鎖（閉塞）することで、コーキング４４の反浴室２６側への移動を阻止している。
【００３６】
図１に示す如く、下側の分割バス２８には、浴室２６の主要な構成部材が一体化されており、下側の分割バス２８には、浴槽４８、床部５０（床板及び防水パンを含む）、洗面部５２（蛇口５４、シャワー５６及び鏡５８を含む）及び排水部６０（排水口６２及び排水管６４を含む）等が設けられている。また、排水管６４は、下側の分割バス２８の下側の下側空間３０に配管されている。
【００３７】
上側の分割バス２８には、浴室２６の補助的な構成部材が一体化されており、上側の分割バス２８には、空気調節設備（図示省略）及び窓部（図示省略）等が設けられている。
【００３８】
また、上述の如く、住宅１０の施工現場で、建物ユニット１２が据え付けられる際には、建物ユニット１２の上面に螺合されて固定された複数（本実施の形態では４つ）の吊り部材としての吊りボルト６６（図４（Ａ）参照）において、建物ユニット１２が吊上手段としてのクレーン６８（図３参照）によって吊り上げられることで、建物ユニット１２が移動される。さらに、上階の建物ユニット１２が据え付けられる際には、上階の建物ユニット１２に、上側の分割バス２８の上側において、天井板が設けられていない。
【００３９】
複数の建物ユニット１２が据え付けられた後に、上述の如く、上階の建物ユニット１２の吊り棒２０への上側の分割バス２８の吊り状態が解除される前には、建物ユニット１２に固定されていた複数（本実施の形態では４つ）の吊りボルト６６が、建物ユニット１２から取り外されて、図３及び図４（Ａ）に示す如く、上側の分割バス２８の上面（本実施の形態では上側の分割バス２８の上面の各角部におけるバスフレーム３４）に螺合されて固定される。その後、複数の吊りボルト６６において上側の分割バス２８がクレーン６８によって吊られた状態で、クレーン６８によって、上述の如く、上側の分割バス２８が下側へ移動（スライド）されることで、下側の分割バス２８に上側の分割バス２８が接近されて、下側のジョイントブラケット３６に上側のジョイントブラケット３６が接近される。
【００４０】
下側の分割バス２８の上部には、角部におけるバスフレーム３４において、案内部材としての断面Ｌ字形長尺板状のガイドレール７０の下端が所定数（本実施の形態では２つ）のボルト７２の螺合によって固定されており（図４（Ｂ）参照）、ガイドレール７０は下側の分割バス２８から上側に突出されている。クレーン６８によって上側の分割バス２８が下側へ移動（スライド）される際には、上側の分割バス２８が角部におけるバスフレーム３４においてガイドレール７０によって案内されることで、上側の分割バス２８が下側の分割バス２８に位置決めされる。
【００４１】
さらに、上述の如く、下側のジョイントブラケット３６と上側のジョイントブラケット３６とが結合されて、下側の分割バス２８と上側の分割バス２８とが結合された後には、下側の分割バス２８からガイドレール７０が取り外される。
【００４２】
次に、本実施の形態の作用を説明する。
【００４３】
以上の構成の住宅１０は、複数の建物ユニット１２が上下及び左右方向において結合されて構成されて、複数階建てにされている。
【００４４】
ここで、住宅１０にユニットバス２２が設置されて、住宅１０に浴室２６が設置されている。このため、浴室２６を住宅１０に容易に設置することができる。
【００４５】
さらに、ユニットバス２２の高さが建物ユニット１２の高さに比し高くされており、下階の建物ユニット１２と上階の建物ユニット１２とに連通される吹き抜け空間１８に、ユニットバス２２が設置されている。このため、下階の建物ユニット１２と上階の建物ユニット１２とに亘ってユニットバス２２を設置することができると共に、開放感のある浴室２６（リゾート感のある浴室２６かつ音響効果の高い浴室２６）にすることができる。
【００４６】
また、ユニットバス２２が上下方向において一対の分割バス２８に分割されており、分割バス２８の高さが建物ユニット１２の高さに比し低くされている。このため、工場において建物ユニット１２に分割バス２８を容易に設置することができると共に、住宅１０の施工現場へユニットバス２２を建物ユニット１２と共に容易に搬送することができる。
【００４７】
さらに、上階の建物ユニット１２に設置された上側の分割バス２８が、下側へ移動されて、下階の建物ユニット１２に設置された下側の分割バス２８に結合されている。このため、一対の分割バス２８を容易に結合することができる。
【００４８】
また、下側の分割バス２８における外周パネル２４の上端と上側の分割バス２８における外周パネル２４の下端との間における間隙部を、全周において、コーキング４４及びバックアップ材４６が閉鎖している。このため、下側の分割バス２８における外周パネル２４の上端と上側の分割バス２８における外周パネル２４の下端との間の間隙部を容易に防水することができる。
【００４９】
さらに、下側の分割バス２８におけるジョイントブラケット３６と上側の分割バス２８におけるジョイントブラケット３６との間に全周において一対の防水シート３８が挟持されて圧着されることで、下側のジョイントブラケット３６と上側のジョイントブラケット３６との間が全周において防水されている。このため、一対の分割バス２８の間を一層防水することができる。
【００５０】
また、住宅１０内のユニットバス２２上側に、上側空間３２が形成されている。このため、ユニットバス２２の上面をスキップフロアとしたり、上側空間３２に空気調節装置等の設備（特に電気設備）を設置したり、上側空間３２を収納空間にすることができ、ユニットバス２２の上側を有効に利用することができる。
【００５１】
さらに、住宅１０内のユニットバス２２下側に、下側空間３０が形成されている。このため、下側空間３０に排水管６４を配管したり、下側空間３０に空気調節装置等の設備（特に電気設備）を設置したり、下側空間３０を収納空間にすることができ、ユニットバス２２の下側を有効に利用することができる。
【００５２】
［第２の実施の形態］
図５には、本発明の浴室設置構造が適用されて構成された第２の実施の形態に係る建物としての住宅８０（戸建て住宅）の主要部が上方から見た平面図にて示されている。
【００５３】
本実施の形態に係る住宅８０は、上記第１の実施の形態と、ほぼ同様の構成であるが、以下の点で異なる。
【００５４】
本実施の形態に係る住宅８０では、上階の建物ユニット１２において、上記第１の実施の形態における吊り棒２０に代えて、仮固定手段としての断面Ｕ字形長尺板状のダミーレール８２が所定数（本実施の形態では２つ）水平に固定されており、ダミーレール８２は、吹き抜け空間１８の上部に配置されている。図６に詳細に示す如く、ダミーレール８２には、断面Ｌ字形板状の支持板８４の上側部分が固定されており、支持板８４の下側部分は、ダミーレール８２から水平方向へ突出されている。
【００５５】
上側の分割バス２８は、バスフレーム３４の上端部分において、ダミーレール８２の支持板８４の下側部分に支持されて上階の建物ユニット１２に仮固定されており、ダミーレール８２が上側の分割バス２８とは反対側へ移動されて、ダミーレール８２（支持板８４）による上側の分割バス２８の支持が解除されることで、上側の分割バス２８の下側への移動（スライド）が可能にされる。なお、ダミーレール８２は、上階の建物ユニット１２から取り外し可能にされている。
【００５６】
ここで、本実施の形態でも、上記第１の実施の形態と同様の作用効果を奏することができる。
【００５７】
なお、本実施の形態では、上側の分割バス２８がバスフレーム３４の上端部分においてダミーレール８２の支持板８４の下側部分に支持されて上階の建物ユニット１２に仮固定された構成としたが、上側の分割バス２８がバスフレーム３４の下端部分（ジョイントブラケット３６）においてダミーレール８２の支持板８４の下側部分に支持されて上階の建物ユニット１２に仮固定された構成としてもよい。
【００５８】
また、上記第１の実施の形態及び第２の実施の形態では、上側の分割バス２８が上階の建物ユニット１２から下側に突出した構成としたが、上側の分割バス２８が上階の建物ユニット１２から下側に突出しない構成としてもよい。
【００５９】
さらに、上記第１の実施の形態及び第２の実施の形態では、上側の分割バス２８を下側へ移動（スライド）させて上側の分割バス２８と下側の分割バス２８とを結合した構成としたが、下側の分割バス２８を上側へ移動（スライド）させて上側の分割バス２８と下側の分割バス２８とを結合した構成としてもよい。
【００６０】
また、上記第１の実施の形態及び第２の実施の形態では、上下方向に結合された２つの建物ユニット１２に亘ってユニットバス２２を設けた構成としたが、上下方向に結合された３つ以上の建物ユニット１２に亘ってユニットバス２２を設けた構成としてもよい。特にこの場合には、ユニットバス２２を上下方向において３つ以上の分割バス２８に分割した構成としてもよい。
【図面の簡単な説明】
【００６１】
【図１】本発明の第１の実施の形態に係る住宅の主要部を示す側方から見た断面図である。
【図２】（Ａ）及び（Ｂ）は、本発明の第１の実施の形態に係る住宅における上側の分割バスと下側の分割バスとを示す側方から見た断面図であり、（Ａ）は、上側の分割バスと下側の分割バスとの結合前を示す側方から見た断面図であり、（Ｂ）は、上側の分割バスと下側の分割バスとの結合後を示す側方から見た断面図である。
【図３】本発明の第１の実施の形態に係る住宅において上側の分割バスを下側へ移動させる状況を示す上方から見た斜視図である。
【図４】（Ａ）は、本発明の第１の実施の形態に係る住宅における吊りボルトを示す斜視図であり、（Ｂ）は、本発明の第１の実施の形態に係る住宅においてガイドレールを示す斜視図である。
【図５】本発明の第２の実施の形態に係る住宅の主要部を示す上方から見た平面図である。
【図６】本発明の第２の実施の形態に係る住宅におけるダミーレールを示す側方から見た断面図である。
【符号の説明】
【００６２】
１０    住宅（建物）
１２    建物ユニット
１８    吹き抜け空間
２２    ユニットバス
２６    浴室
２８    分割バス
３０    下側空間
３２    上側空間
４４    コーキング（閉鎖部材）
４６    バックアップ材（閉鎖部材）
８０    住宅（建物）
【図１】
2008303692.tif 000003
【図２】
2008303692.tif 000004
【図３】
2008303692.tif 000005
【図４】
2008303692.tif 000006
【図５】
2008303692.tif 000007
【図６】
2008303692.tif 000008